(57)【要約】      （修正有）【課題】ＴＦＴ型液晶表示器用偏光シート領域、特にＴＦＴ−ＬＣＤ液晶表示パネルに３Ｄ立体的な表示効果が現れるように、二次元（２Ｄ）から三次元（３Ｄ）の液晶表示パネルに変換することを実現できる３Ｄ立体表示偏光シートを提供する。【解決手段】順次に貼り合わされた剥離フィルムと、原偏光シートと立体表示フィルムとを備え、立体表示フィルムは、原偏光シートに貼り合わされたマイクロ位相差フィルムを含み、マイクロ位相差フィルムの偶数行の位相差フィルムの遅軸は原偏光シートの透過光軸に対して０°〜５０°を成すように配置され、または１３０°〜１８０°を成すように配置され、マイクロ位相差フィルムの奇数行の位相差フィルムの遅軸は原偏光シートの透過光軸に対して１３０°〜１８０°または０°〜５０°を成すように配置される。【選択図】図１ｂ
0003191259.tif 000002
【実用新案登録請求の範囲】
【請求項１】
順次に貼り合わされた剥離フィルムと、原偏光シートと立体表示フィルムとを備え、
前記立体表示フィルムは、前記原偏光シート上に貼り合わされたマイクロ位相差フィルムを含み、前記マイクロ位相差フィルムの偶数行の位相差フィルムの遅軸は原偏光シートの透過光軸に対して０°〜５０°を成すように配置され、または１３０°〜１８０°を成すように配置され、前記マイクロ位相差フィルムの奇数行の位相差フィルムの遅軸は原偏光シートの透過光軸に対して１３０°〜１８０°または０°〜５０°を成すように配置されることを特徴とする３Ｄ立体表示偏光シート。
【請求項２】
前記マイクロ位相差フィルムは、シクロオレフィンポリマーフィルム、ポリカーボネートフィルムまたは三酢酸セルロースフィルムであることを特徴とする請求項１に記載の３Ｄ立体表示偏光シート。
【請求項３】
前記マイクロ位相差フィルムの面内位相差値が８０ｎｍ〜１５０ｎｍであることを特徴とする請求項１に記載の３Ｄ立体表示偏光シート。
【請求項４】
前記原偏光シートの光学透過率≧４２％、且つ偏光度≧９９．９５％であることを特徴とする請求項１に記載の３Ｄ立体表示偏光シート。
【請求項５】
前記マイクロ位相差フィルムの厚さが３０μｍ〜２００μｍであることを特徴とする請求項１に記載の３Ｄ立体表示偏光シート。
【請求項６】
前記原偏光シートは、順次に貼り合わされた第１の保護フィルムと、ポリビニル・アルコールフィルムと、第２の保護フィルムとを備え、前記剥離フィルムは第１の保護フィルムに貼付され、前記マイクロ位相差フィルムは第２の保護フィルムに貼付されていることを特徴とする請求項１に記載の３Ｄ立体表示偏光シート。
【請求項７】
前記立体表示フィルムに貼り合わされた外保護フィルムをさらに含むことを特徴とする請求項１に記載の３Ｄ立体表示偏光シート。
【請求項８】
前記立体表示フィルムは、前記マイクロ位相差フィルムに貼り合わされた眩光防止ＡＧフィルム、反射防止ＡＲフィルムまたはキズ防止ＨＣフィルムを含むことを特徴とする請求項１〜７のいずれか一つに記載の３Ｄ立体表示偏光シート。
【請求項９】
前記眩光防止ＡＧフィルムのＡＧ値は２０％〜４０％であり、反射防止ＡＲフィルムのＡＲ値≦１．０％、キズ防止ＨＣフィルムのＨＣ値≧２Ｈであることを特徴とする請求項８に記載の３Ｄ立体表示偏光シート。
【請求項１０】
まず、原偏光シートの内、外表面上にそれぞれ一層の剥離フィルムを貼り合せて、その後、下記のステップ、即ち、
両面に剥離フィルムが貼り合わされた巻き取られた原偏光シートを、相対的に回転できるように第１の送出装置上に取り付けて、巻き取られた立体表示フィルムを、相対的に回転できるように第２の送出装置上に取り付けるステップ（１）と、
先頭段の原偏光シートの外表面上に貼り合わされた剥離フィルムを剥いて、剥ぎ取った剥離フィルムの先頭端を第１の巻取装置の回転軸に接続させてから、立体表示フィルムの先頭段を原偏光シートの外表面上にある粘着材により原偏光シートの剥離フィルムが剥ぎ取られた位置に貼り合せることにより、請求項１に記載の３Ｄ立体表示偏光シートを形成し、且つ、内、外表面にそれぞれ剥離フィルムと立体表示フィルムが貼り合わされた３Ｄ立体表示偏光シートを、少なくとも一対の貼付ローラーを通して第２の巻取装置の回転軸に接続させるステップ（２）と、
第１と第２の巻取駆動モーターがそれぞれ第１と第２の巻取装置の回転軸を駆動し回転させ、及びその後の過程中、少なくとも一対の貼付ローラーにより、一本の立体表示フィルムを連続的に内表面上に剥離フィルムが貼り合わされた原偏光シートの外表面上に貼り合せるステップ（３）と、
を完了させることを特徴とする３Ｄ立体表示偏光シートの製造方法。
【考案の詳細な説明】
【技術分野】
【０００１】
本考案は、ＴＦＴ型液晶表示器用偏光シート領域、特にＴＦＴ−ＬＣＤ液晶表示パネルに３Ｄ立体的な表示効果が現れるように、二次元（２Ｄ）から三次元（３Ｄ）の液晶表示パネルに変換することを実現できる３Ｄ立体表示偏光シート及びその製造方法に関する。
【背景技術】
【０００２】
従来のＴＦＴ液晶表示器用偏光シートには、主に一枚の剥離フィルム、一枚の原偏光シート、一枚の位相差フィルムと一枚の外層保護フィルムが含まれており、当該偏光シートを液晶表示パネルの前側に貼り合わせると、偏光特性が一種類しか発生できないため、普通のＴＦＴ液晶表示器に立体的な表示効果を現わせることができない。
【考案の概要】
【考案が解決しようとする課題】
【０００３】
本考案の目的の一つは、液晶表示パネルに立体的な表示効果を現わせることができる３Ｄ立体表示偏光シートを提供することである。
【０００４】
本考案に採用される技術的手段は、順次に貼り合わされた剥離フィルムと原偏光シートと立体表示フィルムとを備え、前記立体表示フィルムは、前記原偏光シートに貼り合わされたマイクロ位相差フィルムを含み、前記マイクロ位相差フィルムの偶数行の位相差フィルムの遅軸（slow axis）は原偏光シートの透過光軸に対して０°〜５０°を成すように配置され、または１３０°〜１８０°を成すように配置され、前記マイクロ位相差フィルムの奇数行の位相差フィルムの遅軸は原偏光シートの透過光軸に対して１３０°〜１８０°または０°〜５０°を成すように配置される３Ｄ立体表示偏光シートである。
【０００５】
好ましくは、前記マイクロ位相差フィルムはシクロオレフィンポリマー（ＣＯＰ）フィルム、ポリカーボネート（ＰＣ）フィルムまたは三酢酸セルロース（ＴＡＣ）フィルムである。
【０００６】
好ましくは、前記マイクロ位相差フィルムの面内位相差値が８０ｎｍ〜１５０ｎｍである。
【０００７】
好ましくは、前記原偏光シートの光学透過率≧４２％、偏光度≧９９．９５％である。
【０００８】
好ましくは、前記マイクロ位相差フィルムの厚さが３０μｍ〜２００μｍである。
【０００９】
好ましくは、前記原偏光シートは、順次に貼り合わされた第１の保護フィルムと、ポリビニル・アルコールフィルムと、第２の保護フィルムとを備え、前記剥離フィルムは第１の保護フィルムに貼り合わされ、前記マイクロ位相差フィルムは第２の保護フィルムに貼り合わされている。
【００１０】
好ましくは、前記立体表示フィルムに貼り合わされた外保護フィルムをさらに含む。
【００１１】
好ましくは、前記立体表示フィルムは、前記マイクロ位相差フィルムの外表面に貼り合わされた眩光防止ＡＧフィルム、反射防止ＡＲフィルムまたはキズ防止ＨＣフィルムを含む。
【００１２】
好ましくは、前記眩光防止ＡＧフィルムのＡＧ値は２０％〜４０％であり、反射防止ＡＲフィルムのＡＲ値≦１．０％、キズ防止ＨＣフィルムのＨＣ値≧２Ｈである。
【００１３】
本考案のもう一つの目的は、３Ｄ立体表示偏光シートの製造方法を提供することである。
【００１４】
本考案に採用される技術的手段は、まず、原偏光シートの内、外表面上にそれぞれ一層の剥離フィルムを貼り合せて、その後、下記のステップ、即ち、
両面に剥離フィルムが貼り合わされた巻き取られた原偏光シートを、相対的に回転できるように第１の送出装置上に取り付けて、巻き取られた立体表示フィルムを、相対的に回転できるように第２の送出装置上に取り付けるステップ（１）と、
先頭段の原偏光シートの外表面上に貼り合わされた剥離フィルムを剥いて、剥ぎ取った剥離フィルムの先頭端を第１の巻取装置の回転軸に接続させてから、立体表示フィルムの先頭段を原偏光シートの外表面上にある粘着材により原偏光シートの剥離フィルムが剥ぎ取られた位置に貼り合わせることにより、前記３Ｄ立体表示偏光シートを形成し、且つ、内、外表面にそれぞれ剥離フィルムと立体表示フィルムが貼り合わされた３Ｄ立体表示偏光シートを、少なくとも一対の貼合ローラーを通過させて第２の巻取装置の回転軸に接続させるステップ（２）と、
第１と第２の巻取駆動モーターはそれぞれ第１と第２の巻取装置の回転軸を駆動すると共に回転させる過程中、少なくとも一対の貼付ローラーにより、一本の立体表示フィルムを徐々に内表面上に剥離フィルムが貼り合わされた原偏光シートの外表面上に貼り合わせるステップ（３）と、を完了させる３Ｄ立体表示偏光シートの製造方法である。
【考案の効果】
【００１５】
本考案によれば、下記の有益な効果が得られる。本考案に係る３Ｄ立体表示偏光シートは、ＴＦＴ液晶表示器から出射された直線偏光を両セットの独立な左、右円偏光に変換することができるため、視聴者は円偏光メガネを掛けると、それぞれ表示器から出射された偶数行と奇数行の位相差フィルムの画像光線を受光し、脳の中枢神経系による視差を利用して立体的な効果を合成できる。これによると、本考案に係る３Ｄ立体表示偏光シートをＴＦＴ液晶表示パネルの前側に貼り付けると、二次元（２Ｄ）の表示モデルのＴＦＴ液晶表示パネルを三次元（３Ｄ）の表示モデルに変換でき、３Ｄタブレットパソコン、３Ｄモニター、３Ｄノートパソコン、３Ｄテレビなどの消費類電子製品領域に広く適用できる。
【図面の簡単な説明】
【００１６】
【図１（ａ）】本考案に係る前記３Ｄ立体表示偏光シートの動作原理図である。
【図１（ｂ）】図１（ａ）における３Ｄ立体表示偏光シートの拡大概略図である。
【図２】本考案に係る３Ｄ立体表示偏光シートの一実施形態の構成概略図である。
【図３】本考案に係る３Ｄ立体表示偏光シートの別の一実施形態の構成概略図である。
【図４】本考案に係る３Ｄ立体表示偏光シートの貼付プロセスを示す図である。
【考案を実施するための形態】
【００１７】
以下は、図面を参照しながら本考案に係る前記３Ｄ立体表示偏光シートをさらに説明する。
【００１８】
図２に示されるように、本考案に係る図１（ａ）に示されるような３Ｄ立体表示偏光シートＡには、剥離フィルム１と、原偏光シート８と、立体表示フィルム９を順次に貼り合せたものが含まれており、前記立体表示フィルム９は、前記原偏光シート８上に貼り合わされたマイクロ位相差フィルム５を含み、前記マイクロ位相差フィルム５の偶数行の位相差フィルムの遅軸は原偏光シート８の透過光軸に対して０°〜５０°を成すように配置され、または１３０°〜１８０°を成すように配置され、前記マイクロ位相差フィルムの奇数行の位相差フィルムの遅軸は原偏光シート８の透過光軸に対して１３０°〜１８０°または０°〜５０°を成すように配置される。そうすれば、図１（ａ）と１（ｂ）に示されるように、本考案に係る３Ｄ立体表示偏光シートＡを液晶表示パネルＢの前側に貼り合せると、当該３Ｄ立体表示偏光シートＡは、バックライトＤから偏光板ＣとＴＦＴ液晶表示パネルＢとを透過し出射された直線偏光からお互いに独立な二組の円偏光状態に変換でき、利用者が円偏光メガネＥを掛けたら、人間の左眼に到達した画像は、偶数行の位相差フィルムから出射された左円偏光の画像光線であり、人間の右眼に到達した画像は、奇数行の位相差フィルムから出射された右円偏光の画像光線であり、偶数行と奇数行の画像視差による合成した画像により人間の脳中枢神経系において３Ｄ立体表示映像を形成して、２Ｄ表示モデルのＴＦＴ液晶表示パネルを３Ｄ立体表示モデルに変換できることになっている。
【００１９】
一般的に、汎用の原偏光シート８は、第１の保護フィルム２と、ポリビニル・アルコールフィルム３と、第２の保護フィルム４とを含む。
【００２０】
図３に示されるように、当該立体表示フィルム９は、前記マイクロ位相差フィルム５の外表面に貼り合わされた表面機能フィルム６を含んでもよい。当該表面機能フィルム６は眩光防止ＡＧフィルム、反射防止ＡＲフィルムまたはキズ防止ＨＣフィルムであってもよい。前記表面機能フィルム６は眩光防止ＡＧフィルムであることが好ましい。尚、眩光防止ＡＧ値は２０％〜４０％であることが好ましい。
【００２１】
当該ポリビニル・アルコールフィルム３（ＰＶＡフィルム）にヨウ素、二色性染料などの二色性物質を吸着させてから、架橋反応、引き伸ばし、および乾燥を施す。ポリビニル・アルコールフィルムに対して水で洗浄を行い、これにより、フィルム表面上の汚れ物の除却と粘着防止材の洗浄ができ、染色不均一等の現象が発生しないようにポリビニル・アルコールフィルムを膨張させることもできる。ポリビニル・アルコールフィルム３を引き伸ばしたら脆弱化するため、ポリビニル・アルコールフィルム３を保護するために、その両面に保護フィルムを積層する必要があり、即ち、第１の保護フィルム２と第２の保護フィルム４を積層する必要がある。当該保護フィルムの材質として、透明性、機械強度、熱安定性、水分阻止特性、等方性等の優れた特性を持っている保護フィルムが必要である。例えば、三酢酸セルロースなどのセルロース系樹脂、ポリノルボルネン系、ポリカーボネート系、ポリスチロール系またはアクリル酸系等であってもよい、好ましくは、三酢酸セルロースフィルム（ＴＡＣフィルム）、特に好ましいのは、塩基で表面に対して鹸化処理を行ったＴＡＣフィルムであり、ＴＡＣフィルムとＰＶＡフィルムを水溶性のりにより貼り合わせてもよい、好ましくは、ポリビニル・アルコールのりで貼付を実施する。
【００２２】
当該原偏光シート８の単体透過率は４２％以上であることが好ましく、その単体透過率は４００〜７８０ｎｍ間の平均透過率であり、偏光度は９９．９５％〜１００％であることが好ましい。
【００２３】
前記マイクロ位相差フィルム５の面内位相差値Ｒｅは８０ｎｍ〜１５０ｎｍであることが好ましく、特に好ましいのは、１／４波長板、Ｒｅ＝１２５ｎｍであり、なお、Ｒｅは可視光範囲内の薄膜面内位相差であり、Ｒｅ＝（nx-ny）×dであり、nxとnyはそれぞれ遅軸方向と速軸方向のフィルムの折射率を示し、dはフィルムの厚さを示す。
【００２４】
前記マイクロ位相差フィルム５はポリカーボネートフィルム（ＰＣ）、シクロオレフィンポリマー（ＣＯＰ）フィルムまたは三酢酸セルロースフィルム（ＴＡＣ）などの光学薄膜であってもよい。本考案において、マイクロ位相差フィルムの選定には、良い光学的透明度、低い反射率、優れた機械強度特性、湿熱条件下の安定性、水分阻止特性などを備えるものが必要となるため、本実施例において、好ましくは、シクロオレフィンポリマー（ＣＯＰ）フィルムであり、厚さが３０μｍ〜２００μｍである。
【００２５】
当該立体表示フィルムＡと原偏光シート８の貼付には、通常従来から公知の接着剤、粘着材を利用することができ、例えば、アクリル酸系ポリマー、有機ケイ素系ポリマー、ポリエステル、ポリウレタン、ポリエーテルなどの透明な粘着材であってもよい。なお、光学的透明性、粘合特性、耐候性などの面から、アクリル酸系粘着材を利用することが好ましい。
【００２６】
図４に示されるように、前記貼付方法は、まず、巻装された原偏光シート８を粘着材塗布機上において両面粘着材を塗布し、それから、原偏光シート８の内、外表面上にそれぞれ一層の剥離フィルムを貼り合せる。なお、その内表面上に貼り合わされたのは、前記剥離フィルム１であり、その外表面上に貼り合わされたのは、剥離フィルム１８である。そして、下記の貼付ステップを完了させる。
ステップ１：両面に剥離フィルムが貼り合わされた巻き取られた原偏光シート８を、相対的に回転できるように、精密位置合わせ貼付機の第１の送出装置１１上に取り付け、そして、巻き取られた立体表示フィルム９を、相対的に回転できるように、精密位置合わせ貼付機の第２の送出装置１４上に取り付けてから、偶数行の位相差フィルムの遅軸と原偏光シートの透過軸とが０°〜５０°または１３０°〜１８０°を成すように配置され、奇数行の位相差フィルムの遅軸と原偏光シートの透過軸とが１３０°〜１８０°または０°〜５０°を成すように配置されることが保証できるように、原偏光シート８の透過光軸及び立体表示フィルム９の遅軸に対し調整を行う。
ステップ２：先頭段の原偏光シートの外表面上に貼り合わされた剥離フィルム１８を剥いて、剥ぎ取った剥離フィルム１８の先頭端を第１の巻取装置１２の回転軸に接続させてから、立体表示フィルム９の先頭段を原偏光シート８の外表面上にある粘着材により、その剥離フィルム１８が剥ぎ取られた位置に貼り合せることにより、３Ｄ立体表示偏光シートＡを形成し、且つ、内、外表面にそれぞれ剥離フィルム１と立体表示フィルム９が貼り合わされた３Ｄ立体表示偏光シートＡを、少なくとも一対の貼付ローラー１５を通過させて第２の巻取装置１３の回転軸に接続させる。
ステップ３：第１と第２の巻取駆動モーターがそれぞれ第１の巻取装置１２の回転軸と第２の巻取装置１３の回転軸を駆動し回転させる過程中、第１の送出装置１１と第２の送出装置１４は徐々に巻出しながら、少なくとも一対の貼付ローラー１５が原偏光シート８と立体表示フィルム９に従動すると共に相対的に回転することにより、両方を貼り合せて３Ｄ立体表示偏光シートＡを形成するプロセス、即ち、少なくとも一対の貼付ローラー１５により、一本の立体表示フィルム９を連続的に内表面上に剥離フィルム１が貼り合わされた原偏光シート８の外表面上に貼り合せる。
【００２７】
本実施例において、当該両面に剥離フィルムが貼り合わされた原偏光シート８はガイドローラー１６を通した後、剥ぎ取った剥離フィルム１８は第１の巻取装置１２に搬送され、その一方、内表面上に剥離フィルム１が貼り合わされた原偏光シートは一対の貼付ローラー１５に搬送される。貼り合わされた３Ｄ立体表示偏光シートＡはガイドローラー１７により第２の巻取装置１３に搬送される。
【００２８】
精密位置合わせ貼付機には、貼り合わせる角度の精度を保証するために、精密なエッジ超音波探測機、赤外線探測機、中心調整制御器、エッジ調整制御器、張力制御器、およびＣＣＤ撮影機などの装置が設置されている。
【００２９】
外保護フィルム７を、立体表示フィルム９に貼り合わせてから、前記貼付ステップにより完成させてもよい、または、前記貼付ステップが完了されたフィルム層を精密位置合わせ貼付機により外保護フィルム７に貼り合わせてもよい。
【００３０】
本考案に係る３Ｄ立体表示偏光シートＡに対し、計器ＣＳ−２００によりテスト分析を行い、３Ｄ立体表示のクロストーク値（ｃｒｏｓｓｔａｌｋ値）を評価指標としてもよい。本考案に係る３Ｄ立体表示偏光シートはクロストーク値が２．０％以下であることが好ましい。
【００３１】
実施例１：
図３に示された構成が採用されている。尚、前記マイクロ位相差フィルム５の材質はポリカーボネートフィルム（ＰＣフィルム）であり、厚さが３０μｍ〜２００μｍである。前記表面機能フィルム６は反射防止ＡＲフィルムであり、反射防止ＡＲ値は１．０％以下である。
【００３２】
ポリビニル・アルコールのりによりＴＡＣフィルムをＰＶＡフィルムの両面に積層させてから、前記貼付方法に従い、３Ｄ立体表示偏光シートＡが製作された。
【００３３】
実施例２：
図３に示された構成が採用されている。尚、前記マイクロ位相差フィルム５の材質は三酢酸セルロースエステルフィルム（ＴＡＣフィルム）であり、厚さが３０μｍ〜２００μｍである。前記表面機能フィルム６は反射防止ＡＲフィルムであり、反射防止ＡＲ値は１．０％以下である。３Ｄ立体表示偏光シートＡの制作方法は実施例１と同じである。
【００３４】
実施例３：
図３に示された構成が採用されている。尚、前記マイクロ位相差フィルム５の材質でＣＯＰフィルムであり、厚さが３０μｍ〜２００μｍである。前記一表面機能フィルム６は反射防止ＡＲフィルムであり、反射防止ＡＲ値は１．０％以下である。３Ｄ立体表示偏光シートＡの制作方法は実施例１と同じである。
【００３５】
実施例４：
図３に示された構成が採用されている。尚、前記マイクロ位相差フィルム５の材質はポリカーボネートフィルム（ＰＣフィルム）であり、厚さが３０μｍ〜２００μｍである。前記一表面機能フィルム６は眩光防止ＡＧフィルムであり、眩光防止ＡＧ値は２０％〜４０％である。３Ｄ立体表示偏光シートＡの制作方法は実施例１と同じである。
【００３６】
実施例５：
図３に示された構成が採用されている。尚、前記マイクロ位相差フィルム５の材質は三酢酸セルロースエステルフィルム（ＴＡＣフィルム）であり、厚さが３０μｍ〜２００μｍである。前記表面機能フィルム６は眩光防止ＡＧフィルムであり、眩光防止ＡＧ値は２０％〜４０％である。３Ｄ立体表示偏光シートＡの制作方法は実施例１と同じである。
【００３７】
実施例６：
図３に示された構成が採用されている。尚、前記マイクロ位相差フィルム５の材質はＣＯＰフィルムであり、厚さが３０μｍ〜２００μｍである。前記一表面機能フィルム６は眩光防止ＡＧフィルムであり、眩光防止ＡＧ値は２０％〜４０％である。３Ｄ立体表示偏光シートＡの制作方法は実施例１と同じである。
【００３８】
実施例７
図２に示された構成が採用されている。尚、前記立体表示フィルム９はマイクロ位相差フィルム５であり、当該マイクロ位相差フィルム５の材質はＣＯＰフィルムであり、厚さが３０μｍ〜２００μｍである。３Ｄ立体表示偏光シートＡの制作方法は実施例１と同じである。
【００３９】
各実施例に採用されたＣＳ−２００テストの結果を表１に示す。
【００４０】
【表１】
0003191259.tif 000003
【００４１】
これにより、ＣＯＰフィルムが採用されたマイクロ位相差フィルム５は、クロストーク値が低いのに対し、ＣＯＰフィルムが採用されたマイクロ位相差フィルム５の加えて、表面機能フィルム６を追加する場合、クロストーク値が低下し、また、表面機能フィルム６は眩光防止ＡＧフィルムを採用する場合、クロストーク値がさらに低下することが分かる。
【００４２】
以上は本考案の好ましい実施例に過ぎず、本考案の実施範囲を限定するものではない。つまり、本考案の出願範囲における内容に基づき実施された均等な変更及び追加は、全部本考案に係る技術的範囲に所属すると認められる。
【図１ａ】
0003191259.tif 000004
【図１ｂ】
0003191259.tif 000005
【図２】
0003191259.tif 000006
【図３】
0003191259.tif 000007
【図４】
0003191259.tif 000008
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
順次に貼り合わされた剥離フィルムと、原偏光シートと立体表示フィルムとを備え、
前記立体表示フィルムは、前記原偏光シート上に貼り合わされたマイクロ位相差フィルムを含み、前記マイクロ位相差フィルムの偶数行の位相差フィルムの遅軸は原偏光シートの透過光軸に対して０°〜５０°を成すように配置され、または１３０°〜１８０°を成すように配置され、前記マイクロ位相差フィルムの奇数行の位相差フィルムの遅軸は原偏光シートの透過光軸に対して１３０°〜１８０°または０°〜５０°を成すように配置されることを特徴とする３Ｄ立体表示偏光シート。
【請求項２】
前記マイクロ位相差フィルムは、シクロオレフィンポリマーフィルム、ポリカーボネートフィルムまたは三酢酸セルロースフィルムであることを特徴とする請求項１に記載の３Ｄ立体表示偏光シート。
【請求項３】
前記マイクロ位相差フィルムの面内位相差値が８０ｎｍ〜１５０ｎｍであることを特徴とする請求項１に記載の３Ｄ立体表示偏光シート。
【請求項４】
前記原偏光シートの光学透過率≧４２％、且つ偏光度≧９９．９５％であることを特徴とする請求項１に記載の３Ｄ立体表示偏光シート。
【請求項５】
前記マイクロ位相差フィルムの厚さが３０μｍ〜２００μｍであることを特徴とする請求項１に記載の３Ｄ立体表示偏光シート。
【請求項６】
前記原偏光シートは、順次に貼り合わされた第１の保護フィルムと、ポリビニル・アルコールフィルムと、第２の保護フィルムとを備え、前記剥離フィルムは第１の保護フィルムに貼付され、前記マイクロ位相差フィルムは第２の保護フィルムに貼付されていることを特徴とする請求項１に記載の３Ｄ立体表示偏光シート。
【請求項７】
前記立体表示フィルムに貼り合わされた外保護フィルムをさらに含むことを特徴とする請求項１に記載の３Ｄ立体表示偏光シート。
【請求項８】
前記立体表示フィルムは、前記マイクロ位相差フィルムに貼り合わされた眩光防止ＡＧフィルム、反射防止ＡＲフィルムまたはキズ防止ＨＣフィルムを含むことを特徴とする請求項１〜７のいずれか一つに記載の３Ｄ立体表示偏光シート。
【請求項９】
前記眩光防止ＡＧフィルムのＡＧ値は２０％〜４０％であり、反射防止ＡＲフィルムのＡＲ値≦１．０％、キズ防止ＨＣフィルムのＨＣ値≧２Ｈであることを特徴とする請求項８に記載の３Ｄ立体表示偏光シート。
【手続補正３】
【補正対象書類名】明細書
【補正対象項目名】０００１
【補正方法】変更
【補正の内容】
【０００１】
本考案は、ＴＦＴ型液晶表示器用偏光シート領域、特にＴＦＴ−ＬＣＤ液晶表示パネルに３Ｄ立体的な表示効果が現れるように、二次元（２Ｄ）から三次元（３Ｄ）の液晶表示パネルに変換することを実現できる３Ｄ立体表示偏光シートに関する。
【手続補正４】
【補正対象書類名】明細書
【補正対象項目名】００１３
【補正方法】削除
【補正の内容】